(57)【特許請求の範囲】
【請求項１】
内刃クリーニング用の清掃体（１８）を備えた清掃具（５）が、かみそりヘッド（３）に対して着脱可能に装着してある電気かみそりであって、
清掃具（５）は、かみそりヘッド（３）に着脱可能に装着されるホルダー（１５）と、ホルダー（１５）で往復変位可能に支持した清掃体（１８）とを含み、
清掃体（１８）を内刃（２）のブレード（２ａ）に沿う向きに往復変位させて内刃（２）のクリーニングを行うようになっており、
ホルダー（１５）が、かみそりヘッド（３）に装着される取付部（２０）と、取付部（２０）の上部に設けられて清掃体（１８）の変位限界を規定する規制枠部（２１）とを備えていることを特徴とする電気かみそり。
【請求項２】
清掃具（５）が、ホルダー（１５）と、ホルダー（１５）で左右方向に伸びる軸（１６）を介して前後方向に揺動自在に支持されたフレーム（１７）と、フレーム（１７）に装着した清掃体（１８）とを含み、
内刃（２）がかみそりヘッド（３）の上部に配置されており、
左右方向の側面からみたとき、内刃（２）の前後方向の中心部を通って上下方向に走る垂線で規定される仮想軸線上に、軸（１６）が設けられている請求項１記載の電気かみそり。
【請求項３】
清掃体（１８）の往復ストロークの端部寄りに臨んで、清掃体（１８）の衝突衝撃を緩和する衝撃吸収片（２６）が、ホルダー（１５）の規制枠部（２１）に設けてある請求項１または２記載の電気かみそり。
【請求項４】
清掃体（１８）が、回転自在に軸支したブラシで形成されている請求項１、２または３記載の電気かみそり。
【請求項５】
内刃（２）が、上下方向へ出退スライド自在に支持されてばね（１３）で上向きに進出付勢されており、
清掃体（１８）が往復変位する間に、内刃（２）をばね（１３）に抗して退入変位操作できるよう、清掃体（１８）の往復変位軌跡が内刃（２）に接近配置してある請求項１、２、３または４記載の電気かみそり。
【請求項６】
フレーム（１７）が、左右一対の腕部（３０）と、両腕部（３０）どうしを繋ぐ端枠部（３１）とで門形に形成されており、
両腕部（３０）の間に配置した清掃体（１８）へ向かって洗浄水を変向案内する導水部（３３）が、端枠部（３１）に設けてある請求項１乃至５のいずれかに記載の電気かみそり。
【請求項７】
フレーム（１７）が、ホルダー（１５）で上下スライド可能に案内支持されて、ばね（４１）で上方へ向かって押し上げ付勢されている請求項１乃至６のいずれかに記載の電気かみそり。
【請求項８】
清掃体（１８）を支持するブラシ枠（４２）が、フレーム（１７）で上下スライド可能に案内支持されており、
ブラシ枠（４２）を押し下げ操作する操作片（４３）が、フレーム（１７）の外面に臨んで設けてある請求項１乃至７のいずれかに記載の電気かみそり。
【請求項９】
清掃具（５）が、清掃体（１８）と同行移動可能に設けられた錘り（１９）を含む請求項１乃至８のいずれかに記載の電気かみそり。
【請求項１０】
清掃具（５）が、ホルダー（１５）とホルダー（１５）に設けたガイド溝（４４）で往復変位可能に案内支持された清掃体（１８）と、清掃体（１８）の軸端に設けた錘り（１９）とで構成してある請求項１記載の電気かみそり。  
【発明の詳細な説明】
【０００１】
【発明の属する技術分野】
この発明は、内刃クリーニング用の清掃具を備えた電気かみそりに関する。
【０００２】
【従来の技術】
クリーニング用のブラシを備えている清掃具は、実開昭５８−１７４０６８号公報および実開平４−１０８０７０号公報等に公知である。前者は、静止しているブラシに対して内刃を往復動することでクリーニングを行う。後者は、外刃ホルダーにブラシを設けてあり、外刃ホルダーを上開き揺動する間に、ブラシが内刃と摺接してクリーニングを行うようになっている。
【０００３】
【発明が解決しようとする課題】
上記の清掃具は、いずれもかみそりヘッドに装着されるホルダー、あるいは外刃ホルダーの内面にブラシを固定配置してあり、ブラシあるいは内刃を往復動することにより、ブレードに付着の毛屑等を除去している。こうした清掃具は、主としてブラシの掻き落とし作用でクリーニングを行うので、掻き落とし抵抗の小さな毛屑は比較的容易に除去できるが、ブレードに膠着した皮脂塊、とくにブレードの突出基端の隅部に付着した皮脂等は除去し難く、その除去に多くの時間が掛かってしまう。流水を掛けながらクリーニングを行ったとしても、クリーニング効果に左程の違いはない。
【０００４】
この発明の目的は、内刃に付着している毛屑はもちろん、その刃面や基端隅部に付着している皮脂等をも短い時間で確実に除去できる電気かみそりを提供することにある。この発明の他の目的は、往復変位する清掃体を備えていて、清掃体が往復変位する間に内刃と接触して、その刃面等に付着した毛屑や皮脂等を掻き落とし除去できるようにした電気かみそりを提供することにある。
【０００５】
【課題を解決するための手段】
この発明の電気かみそりは、内刃クリーニング用の清掃体１８を備えた清掃具５が、かみそりヘッド３に対して着脱可能に装着してある。清掃具５は、かみそりヘッド３に着脱可能に装着されるホルダー１５と、ホルダー１５で往復変位可能に支持した清掃体１８とを含む。以て、清掃体１８を内刃２のブレード２ａに沿う向きに往復変位させて内刃２のクリーニングを行う。ホルダー１５は、かみそりヘッド３に装着される取付部２０と、取付部２０の上部に設けて清掃体１８の変位限界を規定する規制枠部２１とを備えている。
【０００６】
清掃具５は、ホルダー１５と、ホルダー１５で左右方向に伸びる軸１６を介して前後方向に揺動自在に支持されたフレーム１７と、フレーム１７に装着した清掃体１８とを含む。内刃２は、かみそりヘッド３の上部に配置されている。左右方向の側面からみたとき、内刃２の前後方向の中心部を通って上下方向に走る垂線で規定される仮想軸線上に、軸１６が設けられている。
【０００７】
清掃体１８の往復ストロークの端部寄りに臨んで、清掃体１８の衝突衝撃を緩和するための衝撃吸収片２６を、ホルダー１５の規制枠部２１に設けてある。清掃体１８は回転自在に軸支したブラシで形成する。
【０００８】
内刃２が上下方向へ出退スライド自在に支持されてばね１３で上向きに進出付勢されている電気かみそりにおいては、清掃体１８が往復変位する間に、内刃２をばね１３に抗して退入変位操作できるよう、清掃体１８の往復変位軌跡を内刃２に接近配置することができる。
【０００９】
フレーム１７は左右一対の腕部３０と、腕部３０どうしを繋ぐ端枠部３１とで門形に形成する。両腕部３０の間に配置した清掃体１８へ向かって洗浄水を変向案内する導水部３３が、端枠部３１に設けられている。フレーム１７をホルダー１５で上下スライド可能に案内支持し、ばね４１で上方へ向かって押し上げ付勢することができる。
【００１０】
清掃体１８を支持するブラシ枠４２を設け、このブラシ枠４２は、フレーム１７で上下スライド可能に案内支持する。ブラシ枠４２を押し下げ操作するための操作片４３は、フレーム１７の外面に臨んで設ける。
【００１１】
清掃具５は清掃体１８と同行移動可能に設けられた錘り１９を含んでいる。また、清掃具５は、図９に示すようにホルダー１５とホルダー１５に設けたガイド溝４４で往復変位可能に案内支持された清掃体１８と、清掃体１８の軸端に設けた錘り１９とで構成することができる。
【００１２】
【作用および発明の効果】
内刃２のクリーニングを行う場合には、外刃ホルダー４を取り外して清掃具５をかみそりヘッド３に装着する。この状態で清掃体１８を往復操作することにより、内刃２に付着の毛屑や皮脂等は、往動時と復動時とに２度、互いに逆向きに掻き落とすことができる。このとき清掃体１８は、内刃２のブレード２ａに沿う向きに往復して刃面に接触する。従って、この発明の清掃具５によれば、内刃２の刃面やその基端隅部等に付着している皮脂等に清掃体１８を充分に接触させて確実に除去できる。
【００１３】
ホルダー１５とは別にフレーム１７を設けたうえで、フレーム１７に清掃体１８を装着した清掃具５によれば、例えば本体ケース１を片手で揺振操作するだけで清掃体１８を往復変位させ、内刃２のクリーニングを簡単に行える。フレーム１７の揺動中心となる軸１６が、本体ケース１の左右両側における内刃２の前後中心に設けてあると、内刃２に対する清掃体１８の揺動範囲を、前面側と後面側とで均一化できるので、内刃２の全体を前後面で清掃むらを生じることもなく確実にクリーニングできる。フレーム１７のモーメントアームの長さに反比例する、より小さな揺振力を与えるだけで、フレーム１７を往復操作できる。なお、この発明における「内刃２の前後中心とは」、内刃２が奇数個設けてある場合には、その駆動軸の前後中心を下方へ延長した仮想中心を、また、内刃２が偶数個設けてある場合には、全内刃２の前後方向の中央線を下方へ延長した仮想中心を意味することとする。
【００１４】
ホルダー１５に清掃体１８の変位限界を規定する規制枠部２１を設けた清掃具５によれば、清掃体１８が不必要に往復変位するのを規制できるので、清掃体１８の動きの無駄をなくして、より効果的にクリーニングを行える。清掃体１８が必要以上に変位して、内刃２がむき出し状態になるのを防止できるので、安全な状態でクリーニングを行える。とくに、内刃２を駆動しながらクリーニングを行う場合の安全性を確保できる。
【００１５】
規制枠部２１に衝撃吸収片２６を設けた清掃具５によれば、清掃体１８を連続して往復変位させるとき、その軸部等を衝撃吸収片２６で受け止めて、清掃体１８が規制枠部２１と激しく衝突するのを防止できるので、衝突音の発生を阻止できる。衝撃吸収片２６は弾性変形することで清掃体１８およびフレーム１７の慣性力を緩和吸収するので、その反発力によって清掃体１８およびフレーム１７を押し戻し操作でき、その分だけ清掃体１８およびフレーム１７を軽性に往復操作できる。
【００１６】
回転自在に軸支したブラシで清掃体１８を形成すると、清掃体１８が内刃２と相対移動するときの接触抵抗を清掃体１８が回転することにで軽減できるので、清掃体１８およびフレーム１７をさらに軽快に往復操作できる。とくに、往復動型の内刃２を駆動しながらクリーニングを行うときの、清掃体１８による動作抵抗を軽減できる。
【００１７】
殆どの電気かみそりにおいては、内刃２を上下スライド自在に支持し、ばね１３で進出付勢している。この種の電気かみそりにおいて、清掃体１８が往復変位する間に、内刃２を清掃体１８でばね１３に抗して退入操作するようにすると、内刃２を乗り越える際の清掃体１８の接触力が大小に変化するうえ、乗り越え中心を通過した時点で、内刃２がばね１３に押し戻されて衝撃的に復帰変位する。従って、内刃２に付着している皮脂等を内刃２から遊離させて確実に除去できることになる。
【００１８】
門形のフレーム１７の両腕部３０間に清掃体１８を設け、両腕部３０どうしを繋ぐ端枠部３１に導水部３３を設けた清掃具５によれば、例えば水を流し掛けながら内刃２を洗浄する際に、水を清掃体１８に対してその落下方向と、導水部３３によって変向案内された方向とから流し掛けることができるので、清掃体１８に付着の毛屑等を速やかに除去できる。また、溜め置いた水に浸漬した状態でフレーム１７を揺動させながらクリーニングを行う場合には、導水部３３によって発生された水流を清掃体１８に衝突させて、そこに付着した毛屑等を速やかに除去できる。
【００１９】
フレーム１７をホルダー１５で上下スライド可能に案内したうえで、ばね４１で上方へ押し上げ付勢した清掃具５によれば、フレーム１７を洗面台等に押し付けながら揺動操作し、あるいは両手を使って、片方の手でフレーム１７をホルダー１５に押圧しながら揺振操作することにより、清掃体１８の内刃２に対する押圧力や接触深さを随時変化させることができ、これにより内刃２を効果的にクリーニングできる。
【００２０】
錘り１９を備えている清掃具５によれば、本体ケース１を片手で揺振操作するだけで、清掃体１８をその変位ストロークの全範囲にわたって確実に往復変位させることができるうえ、より大きな慣性力で清掃体１８を内刃２に対して摺接移動できるので、清掃体１８による皮脂等の掻き落とし作用が向上する。
【００２１】
ホルダー１５に設けたガイド溝４４で清掃体１８を往復スライド自在に直接支持した清掃具５によれば、その構成部品点数を減らして、清掃具５の構造を簡素化し、その分だけ製造に要するコストを削減できる。
【００２２】
【実施例】
図１ないし図６はこの発明を往復動型の電気かみそりに適用した実施例を示す。図２において電気かみそりは、本体ケース１の上部に内刃２を含むかみそりヘッド３を有する。かみそりヘッド３には、外刃ホルダー４と内刃クリーニング用の清掃具５とがそれぞれ交換装着できる。本体ケース１の内部には、モータ６、二次電池７およびモータ６の回転動力を往復動に変換する内刃駆動用の振動子８などが設けてある。本体ケース１の前面上部には、きわぞり刃ユニット９を設け、その下方にモータ起動のスイッチノブ１０が設けてある。このスイッチノブ１０は、きわぞり刃ユニット９を起伏操作するための切換えノブを兼ねている。符号４ａは外刃である。内刃２を水洗い可能とするために、本体ケース１は、その全体が水密状にシールしてある。
【００２３】
内刃２は、かみそりヘッド３の上部前後に配置してあり、それぞれ一定間隔おきに配置した一群のブレード２ａと、ブレード群を固定支持するプラスチック製の基枠２ｂとで構成してある。基枠２ｂは振動子８の上面に突設した駆動軸１２で上下スライド自在に支持され、軸内部に装填したばね１３で上向きに進出付勢されている（図４参照）。
【００２４】
図３において清掃具５は、かみそりヘッド３に着脱自在に外嵌装着されるホルダー１５と、ホルダー１５に軸１６を介して前後揺動自在に支持したフレーム１７と、フレーム１７に設けたロール状のブラシ（清掃体）１８、および錘り１９とで構成する。
【００２５】
ホルダー１５は取付部２０と規制枠部２１とを一体に形成した、上下面が開口する筒状のプラスチック成形品からなる。取付部２０の前面には、きわぞり刃ユニット９を避けるコ字状の切欠２２が設けてある。取付部２０の左右側壁の内面には、かみそりヘッド３に設けたロック爪２３と係合する係合凹部２４が設けてある（図２参照）。規制枠部２１はブラシ１８の揺動限界を規定するために設けてあり、その左右側壁の前後端に一対のストッパー壁２５を備えている。ストッパー壁２５の近傍には、ブラシ１８の衝突衝撃を緩和する衝撃吸収片２６を上向きに突設してある。衝撃吸収片２６は前後方向へ弾性変形して衝突衝撃を緩和する。ブラシ１８の揺動限界は、そのブラシ毛が前方の内刃２の前面と、後方の内刃２の後面とに近接した状態とすることが望ましく、さらに望ましくはブラシ毛が内刃２の前面と後面とに充分に当たった状態とすることが望ましい。これにより、ブラシ１８の往復ストロークを最小限化して迅速かつ軽快にクリーニングを行える。
【００２６】
フレーム１７は、左右一対の腕部３０と、両腕部３０の上端どうしを繋ぐ端枠部３１とを一体に形成した門形のプラスチック成形品からなり、両腕部３０でブラシ１８を回転自体に軸支する。図４において端枠部３１は、断面Ｙ字状に形成してあり、上向きに開口するＶ字溝の内部に金属ブロックからなる錘り１９が固定してある。端枠部３１の下面前後のＶ字壁は、それぞれ導水部３３になっていて、水洗い洗浄時に洗浄水をブラシ１８へ向かって変向案内するために設けてある。フレーム１７の両腕部３０の下端は、ホルダー１５の下端両側に設けた軸１６で支持することにより、フレーム１７は前後に揺動でき、このときフレーム１７と同行揺動するブラシ１８で内刃２のクリーニングを行う。軸１６は本体ケース１の左右両側における内刃２の前後中心に配置される。これは前後一対の内刃２を均等にクリーニングするためである。フレーム１７を門形に形成することにより、その前後に洗浄水を導入し、あるいは排出するための導水開口３４が形成される。
【００２７】
先に説明したように、内刃２は駆動軸１２で上下スライド自在に支持され、ばね１３で進出付勢してある。そこで、この実施例においては、図４に示すようにブラシ１８が往復揺動する間に、ブラシ１８が前後の内刃２をばね１３に抗して退入させながら、各内刃２を乗り越えるようにし、以てブラシ１８が内刃２を乗り越える際の両者２・１８の接触力を大小に変化させ、内刃２に付着した毛屑や皮脂等をより確実に除去できるようにした。具体的には、ブラシ１８の下半側の揺動軌跡が前後一対の内刃２の外郭線と重合するように、ブラシ１８の揺動半径を設定した。また、フレーム１７を支持する軸１６を可能な限り下方に位置させて、ブラシ１８の揺動軌跡の曲率半径が大きくなるようにした。
【００２８】
ブラシ１８は、ねじり合わされた複数の芯線の間にブラシ毛の一群を挟持固定して円柱状に形成してあり、芯線の両端に固定した軸体３５をフレーム１７の左右一対の腕部３０で遊転自在に軸支してある。先に説明したように、ブラシ１８が内刃２を剰り越えるとき、ブラシ毛はその中途部より先端側が弾性変形しながら前後回転し、各ブレード２ａの間を前後に通り抜ける。
【００２９】
図２および図５においてスイッチノブ１０で覆われる本体ケース１の前壁には、二次電池７を充電する際に発生するガスを逃がすためのガス通口３６を通設し、その外面に気液分離用のフィルター３７が設けてある。後述するように電気かみそりを水洗い洗浄するとき、スイッチノブ１０と本体ケース１との間に水、洗剤、油、化粧料等が入り込み、これらがフィルター３７の表面に付着して目詰まりを生じ、ガスの通過を妨げることがある。なお、フィルター３７は、本体ケース１に対して熱溶着することにより取り付けてある。
【００３０】
こうした事態を避けるために、スイッチノブ１０の内面には、フィルター３７の外面に摺接して先のような異物を除去するブラシ体３８を備えている。ブラシ体３８は、四角形状の植毛群からなり、スイッチノブ１０がオフ状態にあるときはもちろん、オフ状態から上方へスライド操作されてオン状態に切り換ったときもフィルター３７の外面と接触するように設けられる。このように、フィルター３７の外面をブラシ体３８で常時覆うようにすると、先の異物はブラシ体３８に妨げられてフィルター３７と接触できない。従って、フィルター３７の表面に異物が付着するのを確実に防止できる。たとえ、フィルター表面に異物が付着しても、スイッチノブ１０のオン、オフ操作時に異物を掻き落とすことができる。
【００３１】
先に説明したように、ブラシ体３８は四角形状の植毛群からなるが、その周回四辺部の植毛密度を内部よりも高密度にしておくと、異物の入り込みをさらに効果的に阻止して、フィルター３７を適性な通気状態に維持できる。なお、フィルター３７をきわぞり刃ユニット９を起伏操作するための専用の切換ノブの内面内方に配置して、スイッチノブ１０と同様に切換ノブの内面にブラシ体３８を設けることができる。もちろん、本体ケース１の任意位置にフィルター３７を配置して、その外面にブラシ体３８を備えたフィルター専用のスライドノブを配置することができる。
【００３２】
内刃２をクリーニングする場合には、外刃ホルダー４を取り外した後、ホルダー１５の取付部２０をかみそりヘッド３に外嵌装着する。この状態で図６に示すようにブラシ１８や内刃２等に流水を流しかけながら、あるいは溜め置いた水の中に清掃具５の全体を浸漬した状態でスイッチノブ１０をオン操作して、内刃２を往復駆動する。さらに本体ケース１を揺振操作して、フレーム１７およびブラシ１８を本体ケース１に対して前後に往復揺動させる。このときの内刃２のブレード２ａとブラシ１８との相対摺動作用と、水の洗い流し作用とによって、ブレード２ａやその突出基端に付着している毛屑や皮脂を確実に清掃除去できる。
【００３３】
図７ないし図９は、清掃具５のそれぞれ異なる別実施例を示す。図７の清掃具５は、フレーム１７側に固定した軸１６が、ホルダー１５の取付部２０に設けた上下に長い溝４０で上下スライド自在に案内支持されており、さらにばね４１でフレーム１７を押し上げ付勢されている。この場合の清掃具５は、端枠部３１を洗面台や洗面器の内周壁等に押し付けた状態で本体ケース１を揺振操作することにより、ブラシ１８と内刃２を相対変位させてクリーニングを行う。あるいは、本体ケース１とフレーム１７とを両手で持って、フレーム１７を本体ケース１の側へ押し付けながら揺振操作し、流水を流し掛けながらクリーニングしてもよい。ブラシ１８はブラシ毛の一群を端枠部３１の下面に植毛して形成してあり、それ自体は遊転できない。他は先の実施例と同じであるので、同じ部材に同じ符号を付してその説明を省略する。以下の別実施例においても同じ扱いとする。
【００３４】
図８の清掃具５は、フレーム１７の端枠部３１でブラシ枠４２を上下部自在に支持し、ブラシ枠４２の下面に内刃２と摺接するブラシ１８を設けた。ブラシ枠４２の上端には操作片４３を設けてある。この場合の清掃具５は操作片４３を洗面台等に押し付けて本体ケース１を揺振操作し、これによりブラシ１８と内刃２を相対変位させる点が図７の清掃具５とは異なる。この実施例におけるブラシ１８は、ブラシ枠４２に植毛した一群のブラシ毛で形成する。なお、先の別実施例における端枠部３１は、前記操作片４３を兼ねている。また、この実施例では内刃２を押し上げ操作するばね１３を利用して、これでブラシ枠４２を押し上げ操作できるようにした。
【００３５】
図９の清掃具５は、フレーム１７を省略して、ホルダー１５でブラシ１８を往復変位可能に支持した。詳しくは、ホルダー１５の規制枠部２１の左右側に、前後に長い部分円弧状のガイド溝４４を設け、このガイド溝４４でブラシ１８の軸体３５をスライド案内した。さらに、軸体３５の軸端に錘り１９を設けて、ブラシ１８を確実に前後に変位操作できるようにした。ガイド溝４４の前後の溝端は、先の実施例におけるストッパー壁２５に相当する。この実施例における清掃具５は、フレーム１７を省略した分だけ部品点数を減らし、その製造に要するコストを減少できる。
【００３６】
上記の実施例以外に、フレーム１７はモータ６の回転動力を利用して、往復駆動することができる。このとき必要があれば、ブラシ１８も併わせて回転駆動することができる。清掃具１８はブラシ以外の紐状体やくし刃状のゴム片で形成することができる。内刃２は１個のみ設けてあってもよく、内刃２が回転駆動されるロータリ式の電気かみそりであってもよい。この場合にはブラシ１８を内刃の螺旋状のブレードに沿って往復変位させるのが好ましい。ストッパー壁２５を弾性変形可能に形成して、ストッパー壁２５が衝撃吸収片２６を兼ねることができる。
【図面の簡単な説明】
【図１】清掃具の縦断側面図である。
【図２】外刃ホルダーと清掃具とを分離した状態での電気かみそりの正面図である。
【図３】清掃具の分解斜視図である。
【図４】使用状態における清掃具と内刃との動作を示す縦断側面図である。
【図５】図２におけるＡ−Ａ線断面図である。
【図６】清掃具の使用状態を示す側面図である。
【図７】清掃具の別実施例を示す縦断側面図である。
【図８】清掃具のさらに異なる別実施例を示す縦断側面図である。
【図９】清掃具のさらに異なる別実施例を示す側面図である。
【符号の説明】
１  本体ケース
２  内刃
３  かみそりヘッド
５  清掃具
１５  ホルダー
１６  軸
１７  フレーム
１８  清掃体（ブラシ）
１９  錘り
【図１】
0004509271.tif 000002
【図２】
0004509271.tif 000003
【図３】
0004509271.tif 000004
【図４】
0004509271.tif 000005
【図５】
0004509271.tif 000006
【図６】
0004509271.tif 000007
【図７】
0004509271.tif 000008
【図８】
0004509271.tif 000009
【図９】
0004509271.tif 000010